(57)【要約】【課題】屋根上設置物を屋根下地に固定するための固定具であって、屋根下地への取付作業性の良い屋根上設置物の固定具を提供する。【解決手段】平板状の基体部１１、基体部１１を貫通している基体開口部１２、基体開口部１２の周縁から立設されている筒壁部１３、筒壁部１３の上端から内側へ延びて基体開口部１２よりも小さい上面開口部１５を形成している上面部１４、及び上面開口部１５の周縁辺から下方に垂設されている一対の案内面部１６を有しており、屋根材に代替して使用される金属の代替屋根材１０と、上面開口部１５を通過する大きさに列設されている一対の底板部３１、一対の底板部３１の内側の辺から立設されている一対の立壁部３２、一対の立壁部３２の上辺を連結している連結部３３、及び連結部３３に形成されボルト７０が取付けられる固定部材取付部３４を有している取付台３０と、を固定具１に具備させる。【選択図】図１
2015158048.tif 000002
【特許請求の範囲】
【請求項１】
平板状の基体部、該基体部を貫通している基体開口部、該基体開口部の周縁から上方に立設されている筒壁部、該筒壁部の上端から内側へ平板状に延びて前記基体開口部よりも小さい上面開口部を形成している上面部、及び、前記上面開口部の周縁辺から互いに対向するように下方に夫々垂設されている平板状の一対の案内面部を有しており、屋根材に代替して使用され、金属又は合成樹脂により形成されている代替屋根材と、
該代替屋根材の前記上面開口部を通過する大きさに列設されている一対の平板状の底板部、一対の該底板部夫々の内側の辺の全長に亘り上方に立設されている一対の立壁部、一対の該立壁部夫々の上辺を連結している連結部、及び、該連結部の上面に開放されておりボルト又はナットが取付けられる固定部材取付部を有している取付台と
を具備していることを特徴とする屋根上設置物の固定具。
【請求項２】
前記代替屋根材は、
前記上面部における一対の前記案内面部の間を通る部位に形成されており、前記上面開口部の周縁辺における前記案内面部が垂設されている辺と平行に延びている識別部を更に有していることを特徴とする請求項１に記載の屋根上設置物の固定具。
【請求項３】
前記代替屋根材は、
前記筒壁部よりも軒側で前記基体部の上面から突出していると共に軒端と棟端とを結ぶ方向に延びており、軒端と棟端とを結ぶ方向に対して直角方向の中央から夫々離間している一対の突条部を、更に有していることを特徴とする請求項１又は請求項２に記載の屋根上設置物の固定具。
【請求項４】
請求項１から請求項３までの何れか一つに記載の屋根上設置物の固定具を用いて屋根上設置物を屋根下地に固定している屋根上設置物の固定構造であって、
前記代替屋根材が屋根材に代替して前記屋根下地に取付けられていると共に、
前記取付台が前記代替屋根材の前記上面開口部との間で隙間が形成されている状態で前記屋根下地に取付けられており、
前記取付台の前記固定部材取付部に取付けられている前記ボルト又は前記ナットを介して前記屋根上設置物が固定されている
ことを特徴とする屋根上設置物の固定構造。
【発明の詳細な説明】
【技術分野】
【０００１】
本発明は、太陽電池モジュール、太陽熱温水器等の屋根上設置物を屋根下地に固定するための固定具、及び、その固定具を用いた屋根上設置物の固定構造に関するものである。
【背景技術】
【０００２】
太陽電池モジュール、太陽熱温水器等の屋根上設置物を、屋根材を支持する屋根下地に固定するための固定具として、屋根材に代替されるカバー体に貫通孔を設け、この貫通孔に、屋根上設置物を取付ける取付台を挿通し、取付台の下端を屋根下地に当接させる技術が提案されている（特許文献１）。これによれば、屋根上設置物の全重量を、取付台を介して直接屋根下地に受けさせることができ、屋根上設置物を高い強度で固定できる。この特許文献１の技術では、屋根上設置物の重量がカバー体にかからないため、カバー体の材質に、屋根瓦と同様の陶器が用いられている。
【０００３】
しかしながら、特許文献１の技術では、カバー体が陶器であることから、カバー体の製造において、焼成前における粘土の組成の僅かな違いや、焼成炉内での位置の違いによる焼成温度の違い、等により、焼成時の収縮が製品によって区々になり易く、製品（カバー体）の寸法のばらつきが大きくなる傾向がある。従って、カバー体の貫通孔に取付台を確実に挿通させることができるように、取付台に対して貫通孔を十分に大きくしている。そのため、貫通孔に挿通して屋根下地に取付台を取付ける時に、貫通孔と取付台との隙間が大きいため、カバー体に対して取付台を位置決めし辛く、作業性が悪い問題があった。
【先行技術文献】
【特許文献】
【０００４】
【特許文献１】特開２０１２−１７７２９１号公報
【発明の概要】
【発明が解決しようとする課題】
【０００５】
そこで、本発明は、上記の実情に鑑み、屋根下地への取付作業性の良い屋根上設置物の固定具、及び、その固定具を用いた屋根上設置物の固定構造の提供を課題とする。
【課題を解決するための手段】
【０００６】
上記の課題を解決するために、本発明に係る屋根上設置物の固定具（以下、単に固定具とも称す）は、「平板状の基体部、該基体部を貫通している基体開口部、該基体開口部の周縁から上方に立設されている筒壁部、該筒壁部の上端から内側へ平板状に延びて前記基体開口部よりも小さい上面開口部を形成している上面部、及び、前記上面開口部の周縁辺から互いに対向するように下方に夫々垂設されている平板状の一対の案内面部を有しており、屋根材に代替して使用され、金属又は合成樹脂により形成されている代替屋根材と、該代替屋根材の前記上面開口部を通過する大きさに列設されている一対の平板状の底板部、一対の該底板部夫々の内側の辺の全長に亘り上方に立設されている一対の立壁部、一対の該立壁部夫々の上辺を連結している連結部、及び、該連結部の上面に開放されておりボルト又はナットが取付けられる固定部材取付部を有している取付台とを具備している」ものである。
【０００７】
「屋根上設置物」としては、太陽電池モジュール、太陽熱温水器、屋根上緑化体、空調用室外機、等を例示することができる。
【０００８】
「屋根材」は、瓦に代表される屋根の仕上げを行うための部材を指しており、瓦の他に、スレート板材、金属屋根板、木製屋根板、等を例示することができる。屋根材に代替して使用される代替屋根材の「基体部」は、外形を屋根材と同一の形状及び寸法とすれば、周囲の屋根材と共に屋根下地に葺設し易いと共に、周囲の屋根材から目立ち難く屋根の外観が良いものとなる。
【０００９】
代替屋根材を形成する「金属」としては、アルミ合金、鉄、真鍮、洋白、青銅、亜鉛、等を例示することができ、「合成樹脂」としては、ポリカーボネイト、塩化ビニル、ＡＢＳ樹脂、ポリエチレン、ポリプロピレン、合成樹脂内にガラス繊維や炭素繊維を含有させた繊維強化樹脂、等を例示することができる。代替屋根材は、ダイカスト鋳造、射出成形、切削加工、絞り加工を含むプレス加工、３Ｄプリンタ成形、等により成形することができる。
【００１０】
取付台の「固定部材取付部」としては、「連結部の上面及び少なくとも一方の立壁部に開放されておりボルトの頭部又はナットがスライド可能に取付けられるＴスロット」、「連結部を貫通して上面に開放されておりボルトのネジ軸部のみが通過する孔」、「連結部の下面から上方に凹みボルトの頭部又はナットが収容される収容部と、収容部の中心で連結部を貫通して上面に開放されておりボルトのネジ軸部のみが通過する孔と、を有している段付孔」、等を例示することができる。「ボルト」としては、六角ボルト、根角ボルト、六角穴付きボルト、寸切りボルト、等を例示することができる。「ナット」としては、六角ナット、四角ナット、Ｔスロット用ナット、等を例示することができる。
【００１１】
本構成の固定具は、次のように使用することができる。まず、代替屋根材を屋根材に代替して屋根下地に取付け、代替屋根材の上面開口部に取付台を挿通して、取付台の底板部を屋根下地に当接させ、取付台を屋根下地に留め付ける。この際に、上方から見て、代替屋根材の上面開口部と取付台との隙間が偏りなく均一になるようにして、屋根下地に留め付ける。その後、取付台の固定部材取付部にボルト又はナットを取付け、そのボルト又はナットを用いて屋根上設置物の一部を取付台に留め付けることにより、取付台を介して屋根上設置物を屋根下地に固定することができる。
【００１２】
本構成の固定具によれば、代替屋根材を金属又は合成樹脂により形成していることから、陶器で形成したものと比較して、製品寸法のばらつきが小さく製品の寸法精度が高くなるため、上面開口部と取付台との隙間が可及的に小さくなるように代替屋根材を形成することができる。これにより、代替屋根材の上面開口部と取付台との隙間が小さくなることで、上面開口部に対する取付台の偏りが判り易くなるため、代替屋根材に対する取付台の位置決めが行い易い。
【００１３】
また、代替屋根材に備えられている一対の案内面部により、取付台を上面開口部から屋根下地付近まで案内することができるため、上面開口部に対して取付台を位置決めしたままの状態で屋根下地に当接させ易く、屋根下地への取付作業性が良い。
【００１４】
ところで、代替屋根材を金属又は合成樹脂により形成することによって、代替屋根材の寸法精度が高くなることから、筒壁部の内周の寸法を取付台の外周の寸法に近付け、上面部、上面開口部、及び案内面部を有していない代替屋根材とすることが考えられる。この場合でも、取付台との隙間が小さくなるため、上記と同様に、代替屋根材に対する取付台の位置決めが行い易い。しかしながら、このような代替屋根材では、筒壁部の上端面の幅が、筒壁部の厚さと同じで薄くなる。そのため、筒壁部の上端開口から雨水等が浸入しないように、シール部材を介してカバー部材で覆う場合、上端面においてシールされる幅が狭いため、シール性を十分に確保できず、雨水等が浸入してしまう虞がある。これに対して、本構成では、筒壁部の上端に平板状の上面部を備えているため、筒壁部の上端側の上面開口部をシール部材を介してカバー部材で覆う場合、筒壁部の厚さよりも広い幅の上面部により、シール部材とのシール性を十分に確保することができる。
【００１５】
また、特許文献１の技術のように、取付台の外形を直方体とすることが考えられる。しかしながら、取付台を直方体とした場合、代替屋根材の上面開口部を挿通して取付台を屋根下地に当接させた時に、取付台における上面開口部よりも上方に突出している部分が少ないと、作業者が取付台を掴み難くなり、代替屋根材に対する取付台の位置決め作業がし辛くなる問題がある。これに対して、本構成では、取付台において、一対の底板部の内側の辺から立壁部を立設しているため、立壁部が底板部の外側の辺よりも内側に位置し、取付台を代替屋根材の上面開口部に挿通した時に、上面開口部と立壁部との間に作業者の指等が入る空間が形成される。これにより、代替屋根材の上面開口部に挿通して取付台を屋根下地に当接させた状態でも、作業者が一対の立壁部を掴むことができるため、代替屋根材に対する取付台の位置決め作業が行い易い。
【００１６】
本発明に係る屋根上設置物の固定具は、上記の構成に加えて、「前記代替屋根材は、前記上面部における一対の前記案内面部の間を通る部位に形成されており、前記上面開口部の周縁辺における前記案内面部が垂設されている辺と平行に延びている識別部を更に有している」ものとすることができる。
【００１７】
「識別部」としては、溝、突起、塗装された塗料、貼付けられたシール、等を例示することができる。
【００１８】
本構成の固定具によれば、代替屋根材の上面部に、一対の案内面部と平行に延びている識別部を備えているため、識別部によっても上面開口部に対する取付台の位置の目安とすることができ、代替屋根材に対する取付台の位置決めが行い易い。
【００１９】
本発明に係る屋根上設置物の固定具は、上記の構成に加えて、「前記代替屋根材は、前記筒壁部よりも軒側で前記基体部の上面から突出していると共に軒端と棟端とを結ぶ方向に延びており、軒端と棟端とを結ぶ方向に対して直角方向の中央から夫々離間している一対の突条部を、更に有している」ものとすることができる。
【００２０】
ところで、屋根材を屋根の傾斜方向へ千鳥状に葺設している屋根では、一つの屋根材に対してその棟側と軒側において、傾斜方向に対して直角方向における屋根材同士が重ね合わされている部位が、一つの屋根材の棟側端縁及び軒側端縁の夫々略中央に位置している。そして、これら屋根材同士が互いに重ね合わされている部位上に、雨水等が流下すると、屋根材同士の隙間を通って屋根材の下方（屋根下地）に雨水等が浸入し易くなる問題がある。
【００２１】
これに対して、本構成の固定具では、屋根の棟側から代替屋根材の基体部上へ雨水等が流入すると、基体部の中央から突出している筒壁部により筒壁部の外壁に沿って流れた後に、筒壁部の軒側へ回り込もうとするが、一対の突条部により回り込みが阻まれ、一対の突条部の間（内側）に流入することなく、一対の突条部の外側を流れて軒側端縁から代替屋根材の軒側の屋根材上へ放出させることができる。
【００２２】
従って、棟側から代替屋根材に流入してきた雨水等が、代替屋根材の軒側において屋根材同士が互いに重ね合わされている部位上に放出されないため、屋根材同士の間を通った屋根下地への雨水等の浸入を防止することができる。
【００２３】
本発明に係る屋根上設置物の固定構造（以下、固定構造とも称す）は、上記の屋根上設置物の固定具を用いて屋根上設置物を屋根下地に固定している屋根上設置物の固定構造であり、「前記代替屋根材が屋根材に代替して前記屋根下地に取付けられていると共に、前記取付台が前記代替屋根材の前記上面開口部との間で隙間が形成されている状態で前記屋根下地に取付けられており、前記取付台の前記固定部材取付部に取付けられている前記ボルト又は前記ナットを介して前記屋根上設置物が固定されている」ものである。
【００２４】
「屋根下地」は、屋根材を葺設する下地部分であり、一般的には、垂木の上に取付けられた平板状の野地板に、防水シートが敷設された構成である。
【発明の効果】
【００２５】
以上のように、本発明の効果として、屋根上設置物を屋根下地に固定するための固定具であって、屋根下地への取付作業性の良い屋根上設置物の固定具、及びその固定具を用いた屋根上設置物の固定構造を提供することができる。
【図面の簡単な説明】
【００２６】
【図１】本発明の一実施形態である屋根上設置物の固定具の分解斜視図である。
【図２】図１の固定具における代替屋根材の（ａ）平面側から見た斜視図、（ｂ）底面側から見た斜視図である。
【図３】図１の固定具における取付台の（ａ）正面側から見た斜視図、（ｂ）背面側から見た斜視図である。
【図４】図１の固定具により屋根上設置物が固定された固定構造の断面図である。
【図５】図１の固定具において、代替屋根材と取付台との関係を示す部分拡大平面図である。
【図６】図１の固定具において代替屋根材を異なる形態とした分解斜視図である。
【図７】図６の固定具における代替屋根材の（ａ）平面側から見た斜視図、（ｂ）底面側から見た斜視図である。
【図８】図６の固定具により屋根上設置物が固定された固定構造の断面図である。
【図９】図６の固定具における代替屋根材の膨出部の拡大断面図である。
【発明を実施するための形態】
【００２７】
本発明の一実施形態である屋根上設置物の固定具１及び屋根上設置物の固定構造について、図１乃至図５を参照して説明する。本実施形態の固定具１は、代替屋根材１０と、取付台３０と、カバー部材５０と、を主に備えている。
【００２８】
具体的には、代替屋根材１０は、屋根材６５に代替して使用されるものであり、ダイカスト鋳造を用いてアルミ合金により形成されている。この代替屋根材１０は、平板状の基体部１１と、基体部１１を貫通している基体開口部１２と、基体開口部１２の周縁から上方に立設されている筒壁部１３と、筒壁部１３の上端から内側へ平板状に延びて基体開口部１２よりも小さい上面開口部１５を形成している上面部１４と、上面開口部１５の周縁辺から互いに対向するように下方に夫々垂設されている平板状の一対の案内面部１６と、を有している。
【００２９】
基体部１１は、軒端と棟端とを結ぶ屋根の傾斜方向に対して直角方向（以下、屋根の横方向と称す）となる両端部のうち、隣接する屋根材６５の下方へ重ね合わされる端部側（図２において左側の端部）の軒側端部が、残りの部位の軒側端部よりも棟側に後退している。この基体部１１は、外形及び上面の形状が、屋根材６５としての平型の瓦と同一の形状及び寸法に形成されている。従って、図示は省略するが、屋根材６５も、該当する部位の軒側端部が棟側に後退している。
【００３０】
基体開口部１２は、基体部１１の中央に形成されており、屋根の傾斜方向に延びた略矩形で、棟側となる辺はその中央が棟へ突出するように屈曲している。筒壁部１３は、基体開口部１２の周縁から立設されているため、外周面のうちの棟を向いている面が屈曲している。筒壁部１３は、上端の高さが、基体部１１の上面に対して棟側から軒側へ向かって低くなるように傾斜している。この筒壁部１３の上端の傾斜角度は、代替屋根材１０が屋根下地６０に取付けられた時に、屋根下地６０と略平行となる角度に設定されている。
【００３１】
上面開口部１５は、屋根の傾斜方向に延びている略矩形に形成されており、棟側となる辺の中央が内側（軒方向）へ台形に突出している。一対の案内面部１６は、上面開口部１５の周縁辺における屋根の傾斜方向に平行に延びている二辺において、棟側の端部から全長の約１／４の長さの範囲から下方に基体部１１の上面と略同じ高さまで垂設されている。一対の案内面部１６は、夫々の上辺同士の間隔に対して、下辺同士の間隔が狭くなるように夫々が傾斜している。
【００３２】
また、代替屋根材１０は、上面部１４で屋根の傾斜方向と平行に延びている識別部１７と、筒壁部１３よりも軒側で基体部１１の上面から突出していると共に屋根の傾斜方向に延びており屋根の横方向の中央から夫々離間している一対の突条部１８と、基体部１１の棟側となる端部の下面から下方に突出している台座部１９と、台座部１９の棟側となる端部から下方に突出している突起部２０と、基体部１１の下面の略全面において下方へ格子状に突出している補強リブ２１と、基体部１１における棟側となる端部付近で貫通している二つの固定孔２２と、二つの固定孔２２よりも軒側で基体部１１の上面から突出していると共に屋根の横方向に延びており、屋根の横方向に列設されている四つの堰部２３と、を有している。
【００３３】
識別部１７は、上面部１４における一対の案内面部１６の間を通る屋根の横方向の中央で、上面開口部１５の周縁辺における案内面部１６が垂設されている辺と平行に延びた溝状に形成されており、上面開口部１５よりも棟側と軒側に夫々形成されている。一対の突条部１８は、筒壁部１３の外周面における屋根の横方向を向く面の延長線よりも、屋根の横方向の中央に寄った位置に夫々形成されている。二つの固定孔２２は、台座部１９の上方に位置しており、基体部１１の上面側の孔縁が、基体部１１の上面よりも膨出している。四つの堰部２３は、基体部１１の中央に近い側の端部が、反対側の端部よりも軒側に位置するように夫々傾斜している。基体部１１における二つの固定孔２２と四つの堰部２３が備えられている部位は、隣接して棟側に配置される屋根材６５により上方から被覆される。この代替屋根材１０は、補強リブ２１の存在により、全体の各部の厚さを薄くして軽量化しつつ、強度・剛性を維持している。
【００３４】
なお、本実施形態では、基体部１１は平型（Ｆ型）の瓦と同一の形状に形成されているが、瓦に代替して代替屋根材１０を使用する場合、基体部１１はＦ型の他に、Ｊ型、Ｓ型、スパニッシュ型、本葺き型、等の瓦と同一の形状にすることができる。また、代替屋根材１０をアルミ合金（アルミダイカスト）で形成しているため、陶器で形成した場合と比較して、軽量であると共に、搬送時や取付作業時に破損し難い。
【００３５】
取付台３０は、一対の平板状の底板部３１と、一対の底板部３１夫々の内側の辺の全長に亘り上方に立設されている一対の立壁部３２と、一対の立壁部３２夫々の上辺を連結している連結部３３と、連結部３３に形成されている複数（三つ）の固定部材取付部３４と、一対の立壁部３２の上下に延びている辺同士を連結している平板状の側壁部３５と、一対の立壁部３２夫々から側方に向かって底板部３１の外側の辺まで延設されている一対の張出部３６と、一対の張出部３６夫々の側方端辺から底板部３１の外側の辺に沿って短く延出している一対の被案内面部３７と、を有している。
【００３６】
また、取付台３０は、連結部３３の上面から突出している複数の載置突部３８と、一部の載置突部３８において連結部３３の上面まで凹んでいる凹部３９と、一対の底板部３１の夫々の上面から上方へ突出している複数のボス部４０と、各ボス部４０及び底板部３１を貫通している取付孔４１と、を有している。
【００３７】
一対の底板部３１は、外形が夫々長方形に形成されており、代替屋根材１０の上面開口部１５を通過する大きさに列設されている。一対の立壁部３２は、下端から上端までの高さが、屋根下地６０に取付けられている代替屋根材１０の上面開口部１５に取付台３０を挿通して、一対の底板部３１を屋根下地６０に当接させた時に、一対の立壁部３２の上端が上面開口部１５よりも上方に位置する高さに設定されている。
【００３８】
複数の固定部材取付部３４は、連結部３３において一対の底板部３１が列設されている方向に対して直角方向に、等間隔で三つ並んでいる。各固定部材取付部３４は、逆Ｔ字形で一対の立壁部３２の一方側から反対側に貫通するように延びていると共に、連結部３３の上面に開放されている溝、つまり、Ｔスロットである。固定部材取付部３４は、一対の立壁部３２の一方側において、溝の底から上方へ突出しているストッパ４２により閉塞されている。また、固定部材取付部３４は、一対の立壁部３２の間に架け渡されている架橋部４３により、溝の底が閉塞されている。これにより、固定部材取付部３４には、ストッパ４２が突出していない側の立壁部３２側から溝内にボルトの頭部又はナットを挿入させてスライドさせることができ、ストッパ４２により反対側から抜けるのが防止されると共に、架設部４３によりボルトの頭部又はナットの落下が防止される。
【００３９】
一対の側壁部３５は、上辺が連結部３３と接続されており、下辺が底板部３１よりも高く位置している。これにより、取付台３０を屋根下地６０に取付けた時に、側壁部３５と屋根下地６０との間に取付台３０を貫通する空間が形成される。一対の張出部３６は、一対の立壁部３２の夫々上下に延びている二つの辺の一方の辺から底板部３１の端辺に沿って延びている。また、一対の張出部３６は、底板部３１から立壁部３２より低い高さ（立壁部３２の約２／３の高さ）まで延設されている。
【００４０】
複数の載置突部３８は、連結部３３の上面において、一対の側壁部３５側の二つ端辺の位置と、三つの固定部材取付部３４同士の間の位置に、夫々備えられており、一対の立壁部３２が対向している方向へ延びている。複数の載置突部３８は、夫々の上面が同一面上にある。凹部３９は、連結部３３の上面の軒側端辺と棟側端辺の載置突部３８に設けられており、載置突部３８の長手方向（屋根の横方向）の中央で凹んでいる。複数のボス部４０は、一対の立壁部３２夫々の外側で底板部３１の外側の辺が延びている方向に、等間隔で三つ夫々備えられている。ボス部４０は、上面における取付孔４１の周囲が一段高く盛り上がっている。本実施形態の取付台３０は、アルミ合金のダイカスト鋳造により形成されている。
【００４１】
カバー部材５０は、平板状の天板部５１と、天板部５１の周縁から下方へ延出している周壁部５２と、天板部５１を貫通している貫通孔５３と、を有している。天板部５１及び周壁部５２は、外周形状が代替屋根材１０の筒壁部１３の外周形状と相似形状であり、全体が略矩形で、一つの辺の中央が外方へ突出するように屈曲した形状である。天板部５１及び周壁部５２は、代替屋根材１０の筒壁部１３よりもひと回り大きく形成されている。これにより、カバー部材５０によって、代替屋根材１０の筒壁部１３の上部を上方から覆うことができる。
【００４２】
貫通孔５３は、天板部５１の周縁辺のうち平行に延びている二辺と直交する方向へ延びた長孔である。また、貫通孔５３は、カバー部材５０の下方且つ中央に取付台３０を位置させた時に、取付台３０の三つの固定部材取付部３４のうち、外側の二つの固定部材取付部３４の夫々の中央と対応する位置に形成されている。本実施形態のカバー部材５０は、ステンレス鋼やアルミ合金等の金属板、耐候性に優れた合成樹脂、等によって形成されている。
【００４３】
次に、本実施形態の固定具１の使用方法について、主に図４を参照して説明する。なお、図４では、取付台３０の上部のみを断面で表しており、取付台３０の下部は側面を表している。
【００４４】
まず、固定具１が取付けられる屋根の屋根下地６０は、野地板６１と、野地板６１の上面に敷設された防水シート６２とで構成されている。この屋根下地６０には、屋根の横方向に延びている長尺の桟木６３が、屋根の傾斜方向に等間隔で取付けられている。この桟木６３に屋根材６５としての瓦が引掛け係止されることにより、多数の瓦が屋根下地６０の上面に葺設されている。また、図示は省略するが、多数の瓦（屋根材６５）は、屋根の傾斜方向へ千鳥状に葺設されている。
【００４５】
屋根に固定具１を取付ける際は、その取付位置に該当する屋根材６５に代替して、代替屋根材１０を屋根下地６０に取付ける。この時、代替屋根材１０の台座部１９を、桟木６３に載置すると共に、突起部２０を桟木６３の棟側を向いている面に当接させた状態とし、上方から固定孔２２を通した釘を桟木６３に打込んで固定する。これにより、代替屋根材１０の上面開口部１５の部分で、屋根下地６０が上方に開放された状態となる。
【００４６】
続いて、取付台３０を代替屋根材１０の上面開口部１５に挿入するが、その前に、固定部材取付部３４に固定部材としてのボルト７０を取付けておく。本実施形態では、三つの固定部材取付部３４のうち、外側の二つの固定部材取付部３４に対して、開放されている一方の立壁部３２側から、倒立させたボルト７０の頭部７１を挿入し、ボルト７０のネジ軸部７２を連結部３３の上面から上方に突出させる。固定部材取付部３４に取付けられたボルト７０は、頭部７１における四角柱状の部位の平行な二面が固定部材取付部３４の溝の内面に当接することでネジ軸部７２の軸周りに対して回転不能となると共に、固定部材取付部３４の延びている方向へのみスライド可能となる。なお、本実施形態では、ボルト７０として、根角ボルトを図示しているが、六角ボルトとすることもできる。
【００４７】
上記のようにボルト７０が取付けられた取付台３０を、一対の底板部３１における張出部３６と接続している端辺を屋根の棟方向へ向けた状態で、代替屋根材１０の上面開口部１５に挿通し、一対の底板部３１を屋根下地６０に当接させる。この際に、取付台３０の一対の被案内面部３７が、代替屋根材１０の一対の案内面部１６に夫々案内される。
【００４８】
そして、代替屋根材１０の上面開口部１５の中央に取付台３０を位置させる。具体的には、代替屋根材１０の二つの識別部１７を結んだ直線（図５における一点鎖線）に対して、取付台３０の二つの凹部３９が同一線上となると共に、上面開口部１５との隙間（案内面部１６と被案内面部３７との隙間）が均一になるように取付台３０を位置させることで、代替屋根材１０に対して取付台３０を容易に位置決めすることができる。なお、代替屋根材１０の一対の案内面部１６と、取付台３０の一対の被案内面部３７とが、面で向き合っているめ、案内面部１６と被案内面部３７との隙間を見ることでも、代替屋根材１０に対する取付台３０の偏りが判り易く、位置決めの目安とすることができる。
【００４９】
代替屋根材１０に対して取付台３０を位置決めしたら、各取付孔４１にビス７３を挿通して一対の底板部３１を屋根下地６０に留め付ける。この際に、取付孔４１が上方に突出したボス部４０に形成されているため、取付孔４１に挿通したビス７３が倒れることなく自立し、ビス７３による屋根下地６０への留め付け作業が行い易い。なお、取付台３０を屋根下地６０に取付ける前に、底板部３１と屋根下地６０との間にブチルゴム等により形成されたシールシート７４を介装させる。このシールシート７４により、ビス７３を伝った屋根下地６０の下方への雨水等の浸入が防止される。
【００５０】
取付台３０を屋根下地６０に取付けたら、連結部３３から上方に突出しているボルト７０のネジ軸部７２を、円環状のシールリング７５、及び、カバー部材５０の貫通孔５３に、夫々下方から順次挿通する。そして、カバー部材５０の周壁部５２が、代替屋根材１０の筒壁部１３の上端外周を囲むように、天板部５１を取付台３０の載置突部３８に載置する。この際に、カバー部材５０の内側に、発泡ゴム等の弾性を有するシール部材７６を取付けた（接着した）状態で、カバー部材５０を載置する。
【００５１】
これにより、シールリング７５が、連結部３３と天板部５１との間に形成された隙間内に、天板部５１により一定の圧縮量で収容された状態となり、カバー部材５０の貫通孔５３が良好な状態でシールされる。また、代替屋根材１０の上面開口部１５がカバー部材５０で被覆されると共に、カバー部材５０と筒壁部１３との間がシール部材７６でシールされる。この際に、シール部材７６が、筒壁部１３の上端の上面部１４に対して、面で接触するため、シール部材７６によるシール性が十分に確保される。従って、上面開口部１５を介した代替屋根材１０よりも下方への雨水等の浸入を防止することができる。
【００５２】
このように、代替屋根材１０の上面開口部１５をカバー部材５０で被覆することで、天板部５１の上面から上方へ向かって二つのボルト７０のネジ軸部７２が突出している状態となる。そして、これら突出しているネジ軸部７２を用いて、屋根上設置物を固定具１に対して取付ける。具体的には、屋根上設置物の一部を構成している桟部材８０に形成された孔部（図示は省略）に、ネジ軸部７２を下方から挿通し、桟部材８０をカバー部材５０の天板部５１に載置して、ネジ軸部７２に螺合させたナット７７で締付ける。これにより、桟部材８０が固定具１（取付台３０及びカバー部材５０）に対して取付けられた状態となり、屋根上設置物が固定具１を介して屋根下地６０に固定された状態となる。
【００５３】
なお、ネジ軸部７２の突出位置が、屋根下地６０に対して桟部材８０を固定すべき位置から屋根の横方向へずれている時は、固定部材取付部３４に沿ってボルト７０をスライドさせることにより、ネジ軸部７２の突出位置を調整することができる。
【００５４】
本実施形態では、上記のように固定具１を用いることで、以下のような固定構造を形成している。すなわち、代替屋根材１０が屋根材６５に代替して屋根下地６０に取付けられていると共に、取付台３０が代替屋根材１０の上面開口部１５との間で隙間が形成されている状態で屋根下地６０に取付けられており、取付台３０の固定部材取付部３４に取付けられているボルト７０を介して屋根上設置物が固定されている屋根上設置物の固定構造である。
【００５５】
このように、本実施形態によれば、代替屋根材１０を、金属としてアルミ合金により形成していることから、陶器で形成したものと比較して、製品寸法のばらつきが小さく製品の寸法精度が高くなるため、上面開口部１５と取付台３０との隙間が可及的に小さくなるように代替屋根材１０を形成することができる。従って、代替屋根材１０の上面開口部１５と取付台３０との隙間が小さくなることで、上面開口部１５に対する取付台３０の偏りが判り易くなるため、代替屋根材１０に対する取付台３０の位置決めが行い易い。
【００５６】
また、代替屋根材１０に備えられている一対の案内面部１６により、取付台３０を上面開口部１５から屋根下地６０付近まで案内することができるため、上面開口部１５に対して取付台３０を位置決めしたままの状態で屋根下地６０に当接させ易く、屋根下地６０への取付作業性が良い。
【００５７】
更に、取付台３０の形態を、一対の底板部３１の内側の辺から立壁部３２を立設しているため、立壁部３２が底板部３１の外側の辺よりも内側に位置し、取付台３０を代替屋根材１０の上面開口部１５に挿通した時に、上面開口部１５と立壁部３２との間に作業者の指などが入る空間が形成される。これにより、代替屋根材１０の上面開口部１５に挿通して取付台３０を屋根下地６０に当接させた状態でも、作業者が一対の立壁部３２を掴むことができるため、代替屋根材１０に対する取付台３０の位置決め作業が行い易い。
【００５８】
加えて、代替屋根材１０の上面部１４に、屋根の傾斜方向と平行に延びている識別部１７を備えているため、識別部１７に対して取付台３０の凹部３９を合わせることで、代替屋根材１０に対した取付台３０を容易に位置決めできる。
【００５９】
また、代替屋根材１０に一対の突条部１８を備えているため、屋根下地６０への雨水等の浸入を防止することができる。詳述すると、固定具１を屋根下地６０に取付けた状態で、屋根の棟側から雨水等が代替屋根材１０の基体部１１上に流下してくると、筒壁部１３における屈曲して棟を向いている面により、筒壁部１３で堰き止められることなく、筒壁部１３の外壁に沿って流れた後に、筒壁部１３の軒側へ回り込もうとするが、一対の突条部１８により回り込みが阻まれ、一対の突条部１８の間から軒側へは雨水等が殆ど放出されない。従って、千鳥状に葺設されている屋根材６５において、互いに重ね合わされている部位上に、代替屋根材１０からは雨水等が放出されないため、屋根材同士の間に雨水等が浸入し難くなり、代替屋根材１０の軒側の屋根材６５において屋根下地６０への雨水等の浸入を防止することができる。
【００６０】
また、取付台３０の複数の載置突部３８に、カバー部材５０の天板部５１を載置して桟部材８０を取付けていることから、載置突部３８、天板部５１、及び、桟部材８０が順次当接している状態となり、載置突部３８と天板部５１との間にシールリング７５のような弾性を有した部材が介装されないため、桟部材８０の取付けにがたつきが生じることはなく、屋根上設置物を安定した状態で固定することができる。
【００６１】
以上、本発明について好適な実施形態を挙げて説明したが、本発明は上記の実施形態に限定されるものではなく、本発明の要旨を逸脱しない範囲において、種々の改良及び設計の変更が可能である。
【００６２】
例えば、上記の実施形態では、代替屋根材１０の一対の案内面部１６を、上面開口部１５の周縁辺の対向している辺の一部から下方に垂設している場合を示したが、これに限定されず、対向している辺の全体から案内面部１６が下方に垂設された構成とすることもできる。
【００６３】
また、上記の実施形態では、溝状の識別部１７を示したが、これに限定されず、突起、或は、シール等により識別部を構成することもできる。
【００６４】
更に、上記の実施形態では、取付台３０の固定部材取付部３４に、ボルト７０を取付ける例を示したが、これに限定されず、固定部材取付部３４に、固定部材として六角ナット、四角ナット、Ｔスロット用ナット、等のナットを取付ける構成とすることもできる。この場合、固定部材取付部３４に取付けたナットに、桟部材８０側からボルトを螺合させて締付けることで、固定具１に桟部材８０を取付けることができる。
【００６５】
更に、上記の実施形態では、屋根の横方向に隣接する屋根材６５の下方に重ね合わされる端部側の軒側端部が、残りの部位の軒側端部よりも棟側に後退している屋根材６５と対応している構成の代替屋根材１０を示したが、これに限定されず、図６乃至図９に示すように、残りの部位の軒側端部と同じ位置まで形成されている屋根材６６と対応している構成の代替屋根材１０Ｂとすることもできる。この代替屋根材１０Ｂは、基体部１１における屋根の横方向の両端部のうち、屋根材６６の上方に重ね合わされる端部側（図７において右側の端部）の軒側端部に、残りの軒側端部よりも軒方向へ向かって内側から膨出している膨出部２４を有している。この膨出部２４により、屋根材６６（図９において二点鎖線で示す）の該当部分を削り落とさなくても、代替屋根材１０Ｂを重ね合わせることができ、屋根下地６０への固定具１の取付作業が容易になる。
【００６６】
なお、代替屋根材１０Ｂは、屋根の横方向における膨出部２４とは反対側の端部の軒側端部が、代替屋根材１０（屋根材６５）と同様に棟側に後退している。これにより、代替屋根材１０Ｂを、屋根材６５の代替にも使用することができる。また、図６乃至図９の実施形態では、取付台３０の三つの固定部材取付部３４のうち、中央の固定部材取付部３４にボルト７０を取付けていると共に、カバー部材５０に貫通孔５３を一つのみ形成している。この実施形態でも、上記の実施形態と同様の作用効果を得ることができる。
【００６７】
また、上記の実施形態では、代替屋根材１０に代替される屋根材６５として、屋根の横方向の両端部のうち、隣接する屋根材６５の下方に重ね合わされる端部側の軒側端部が、残りの部位の軒側端部よりも棟側へ後退している構成の屋根材６５と代替する例を示したが、これに限定されず、当該軒側端部が、残りの部位の軒側端部と同じ位置まで形成されている構成の屋根材６６と代替屋根材１０を代替する構成とすることもできる。この場合、代替屋根材１０の屋根の横方向に隣接する屋根材６６のうち、代替屋根材１０の下方に重ね合わされる端部側を有している屋根材６６では、当該端部側の軒側端部を棟側に向かって削り落とすことで代替屋根材１０と重ね合わせることができる。
【符号の説明】
【００６８】
１  固定具
１０，１０Ｂ  代替屋根材
１１  基体部
１２  基体開口部
１３  筒壁部
１４  上面部
１５  上面開口部
１６  案内面部
１７  識別部
１８  突条部
２４  膨出部
３０  取付台
３１  底板部
３２  立壁部
３３  連結部
３４  固定部材取付部
３６  張出部
３７  被案内面部
３８  載置突部
５０  カバー部材
６０  屋根下地
６５，６６  屋根材
７０  ボルト
７３  ビス
７７  ナット
８０  桟部材（屋根上設置物）
【図１】
2015158048.tif 000003
【図２】
2015158048.tif 000004
【図３】
2015158048.tif 000005
【図４】
2015158048.tif 000006
【図５】
2015158048.tif 000007
【図６】
2015158048.tif 000008
【図７】
2015158048.tif 000009
【図８】
2015158048.tif 000010
【図９】
2015158048.tif 000011